(57)【要約】  医薬品包装はハウジングを含む。医薬品容器がテザーによってハウジングに取り付けられる。医薬品容器はチャイルドレジスタント構成と医薬品アクセス可能構成との間でハウジングと係合可能である。システムおよび使用方法が開示される。【選択図】図６
2019528132.tif 000002
【特許請求の範囲】
【請求項１】
ハウジングと
テザーによって前記ハウジングに取り付けられた医薬品容器と
を備え、
前記医薬品容器はチャイルドレジスタント構成と医薬品アクセス可能構成との間で前記ハウジングと係合可能である、
医薬品包装。
【請求項２】
前記医薬品容器が、前記チャイルドレジスタント構成において前記ハウジングの開口部を画定する表面と係合可能な突起を含む、請求項１に記載の医薬品包装。
【請求項３】
前記突起が、前記チャイルドレジスタント構成において前記ハウジングによって前記医薬品容器を捕捉するために前記表面と係合可能な横方向突出部を含む、請求項２に記載の医薬品包装。
【請求項４】
前記ハウジングが、前記チャイルドレジスタント構成において前記医薬品容器の表面と係合可能な突起を含む、請求項１に記載の医薬品包装。
【請求項５】
前記ハウジングが、前記チャイルドレジスタント構成において係合可能な第１のラッチおよび第２のラッチを含む、請求項１に記載の医薬品包装。
【請求項６】
前記ラッチのそれぞれが、弾性的に付勢されるフックを含む、請求項５に記載の医薬品包装。
【請求項７】
前記ハウジングが第１のラッチを含み、前記医薬品容器が第２のラッチを含み、前記第１および第２のラッチは前記チャイルドレジスタント構成において係合可能である、請求項１に記載の医薬品包装。
【請求項８】
ハウジングと、
テザーによって前記ハウジングに取り付けられた医薬品容器と、
前記容器に接続された少なくとも１つの部材であって、少なくとも１つの区画を画定しかつ投薬計画に関連する表示を含む、少なくとも１つの部材と、
前記少なくとも１つの区画内に配置可能な少なくとも１つの医薬品の少なくとも１つの一回分服用量と
を備えた医薬品包装を備え、
前記医薬品容器がチャイルドレジスタント構成において前記ハウジングと係合可能である、
医薬品包装システム。
【請求項９】
前記医薬品容器が、前記チャイルドレジスタント構成において前記ハウジングの開口部を画定する表面と係合可能な突起を含む、請求項８に記載の医薬品包装システム。
【請求項１０】
前記突起が、前記チャイルドレジスタント構成において前記ハウジングによって前記医薬品容器を捕捉するために前記表面と係合可能な横方向突出部を含む、請求項９に記載の医薬品包装システム。
【請求項１１】
前記ハウジングが、前記チャイルドレジスタント構成において前記医薬品容器の表面と係合可能な突起を含む、請求項８に記載の医薬品包装システム。
【請求項１２】
前記ハウジングが、前記チャイルドレジスタント構成において係合可能な第１のラッチおよび第２のラッチを含む、請求項８に記載の医薬品包装システム。
【請求項１３】
前記ラッチのそれぞれが、弾性的に付勢されるフックを含む、請求項１２に記載の医薬品包装システム。
【請求項１４】
前記ハウジングが第１のラッチを含み、前記医薬品容器が第２のラッチを含み、前記第１および第２のラッチは前記チャイルドレジスタント構成において係合可能である、請求項８に記載の医薬品包装システム。
【請求項１５】
前記第１のラッチがスライドを含み、前記第２のラッチが前記チャイルドレジスタント構成において係合可能なスライドを含む、請求項１４に記載の医薬品包装システム。
【請求項１６】
前記第１のラッチが突起を含み、前記第２のラッチが前記チャイルドレジスタント構成において係合可能な突起を含む、請求項１４に記載の医薬品包装システム。
【請求項１７】
退院した患者のための服薬遵守方法であって、
患者をある病気に関して治療するステップと、
前記病気を治療するために医学療法を見直すステップであって、前記医学療法は、少なくとも１つの医薬品の少なくとも１つの１回分服用量を含む医療計画を含むステップと、
医薬品包装であって、
ハウジングと、
テザーによって前記ハウジングに取り付けられた医薬品容器と、
前記医薬品容器に接続された少なくとも１つの部材であって、少なくとも１つの区画を画定しかつ投薬計画に関連する表示を含む、少なくとも１つの部材と、
前記少なくとも１つの区画内に配置可能な少なくとも１つの医薬品の少なくとも１つの一回分服用量と
を備え、
前記医薬品容器がチャイルドレジスタント構成において前記ハウジングと係合可能である医薬品包装を提供するステップと
を含む服薬遵守方法。
【請求項１８】
前記医薬品容器が、前記チャイルドレジスタント構成において前記ハウジングの開口部を画定する表面と係合可能な突起を含む、請求項１７に記載の服薬遵守方法。
【請求項１９】
前記ハウジングが、前記チャイルドレジスタント構成において係合可能な第１のラッチおよび第２のラッチを含む、請求項１７に記載の服薬遵守方法。
【請求項２０】
前記ハウジングが第１のラッチを含み、前記医薬品容器が第２のラッチを含み、前記第１および第２のラッチは前記チャイルドレジスタント構成において係合可能である、請求項１７に記載の服薬遵守方法。
【発明の詳細な説明】
【技術分野】
【０００１】
本開示は、概して薬剤の包装に関し、より具体的には投薬計画および／またはチャイルドレジスタンス性ならびに病状の治療方法を提供する分配装置およびシステムに関する。
【背景技術】
【０００２】
小売顧客および／または患者は、病気を治療するために採用され得る医学療法を受ける場合があり、それには食事制限、運動、および／または処方医薬品および／または非処方医薬品の投与計画が含まれ得る。場合によっては、入院患者は退院するときに１人以上の医師から何らかの医学療法に従うよう指示されることが多い。
【０００３】
このような医薬品投与計画は、ある計画の間じゅう服用される１つまたは複数の医薬品を含むことがあり、それは１つ以上の医薬品を含み得る。医薬品投与計画は、医薬品が、同時に、異なる時間に、および／または曜日もしくは１日のうちの時間帯に基づいて服用されることを要求することがある。このような投薬計画は、栄養学の観点から、治療学の観点から、および／または病気の処置のためにユーザが採用し得る既存の投薬計画に加えて管理される場合がある。
【０００４】
しかしながら、このような投薬計画は、患者の低い服薬遵守性にしばしば悩まされる。実際、多くの患者は自身の投薬計画に従わない。場合によっては、生活習慣に関連する投薬が同じく低いユーザ服薬遵守性に悩まされることがある。非服薬遵守性につながる要因は、投薬計画が複雑であること、患者が処方を守らないこと、指示および／または処方が不適切であること、コスト、副作用、患者の抵抗、動機の欠落、既存の投薬と両立しないこと、および／または患者の生理的な問題を含み得る。
【０００５】
投薬計画のさまざまな医薬品は、チャイルドレジスタンス性を備えたまたは備えていない、１回の用量分および／または複数回の用量分のブリスターパックなどの医薬品容器から患者に分配することができる。複数回の用量分のブリスターパックは、曜日、例えば月曜日、火曜日等および／または１日のうちの時間帯を含む計画に従って１つの医薬品を分配することができる。本開示では、これらの従来技術を凌ぐ改良について記載する。
【発明の概要】
【０００６】
いくつかの実施形態において、医薬品包装が提供される。医薬品包装はハウジングを含む。医薬品容器がテザーによってハウジングに取り付けられる。医薬品容器は、チャイルドレジスタント構成と医薬品アクセス可能構成との間でハウジングと係合可能である。システムおよび使用方法も開示される。
【０００７】
本開示は、以下の図面が伴う具体的な記載からより簡単に明らかになるだろう。
【図面の簡単な説明】
【０００８】
【図１】本開示の原理に従うシステムの一実施形態の構成要素の斜視図である。
【図１Ａ】図１に示されるシステムの構成要素の拡大断面図である。
【図２】図１に示されるシステムの構成要素の斜視図である。
【図３】図１に示されるシステムの構成要素の斜視図である。
【図３Ａ】図３に示されるシステムの構成要素の拡大断面図である。
【図４】図１に示されるシステムの構成要素の斜視図である。
【図５】図１に示されるシステムの構成要素の斜視図である。
【図６】本開示の原理に従うシステムの一実施形態の構成要素の斜視図である。
【図７】本開示の原理に従うシステムの一実施形態の構成要素の斜視図である。
【図８】本開示の原理に従うシステムの一実施形態の構成要素の斜視図である。
【図９】図８に示されるシステムの構成要素の斜視図である。
【図１０】図８に示されるシステムの構成要素の斜視図である。
【図１１】図８に示されるシステムの構成要素の斜視図である。
【図１２】図８に示されるシステムの構成要素の斜視図である。
【図１３】図８に示されるシステムの構成要素の斜視図である。
【図１４】本開示の原理に従うシステムの一実施形態の構成要素の斜視図である。
【図１５】図１４に示されるシステムの構成要素の斜視図である。
【図１６】本開示の原理に従うシステムの一実施形態の構成要素の斜視図である。
【図１７】図１６に示されるシステムの構成要素の斜視図である。
【図１８】本開示の原理に従うシステムの一実施形態の構成要素の斜視図である。
【図１９】本開示の原理に従うシステムの一実施形態の構成要素の斜視図である。
【図２０】図１８に示されるシステムの構成要素の拡大切取図である。
【図２１】図１８に示されるシステムの構成要素の拡大切取図である。
【図２２】図１８に示されるシステムの構成要素の拡大切取図である。
【図２３】図１８に示されるシステムの構成要素の拡大切取図である。
【発明を実施するための形態】
【０００９】
開示されている薬剤包装システムおよび関連する使用方法の例示的な実施形態を、さまざまな疾患、病気および／または慢性の病気の治療のための分配装置という観点から、より具体的には、投薬計画および／またはチャイルドレジスタンス性および病状の治療方法を提供する薬剤分配装置およびシステムという観点から、考察する。いくつかの実施形態において、本システムは、１つ以上の疾患、病気および／または慢性の病気の治療のために薬剤容器を患者に分配する方法とともに使用される。いくつかの実施形態において、本システムは、患者が医療施設から例えば短期間および／または長期間退院できるようにする方法とともに使用される。
【００１０】
いくつかの実施形態では、薬剤包装システムは、チャイルドレジスタンス薬剤包装システムを促進するためのロック機構を含む。いくつかの実施形態では、ロック機構は、例えばボタンなどの突起と係合可能な、例えば一対の円形の穴などの１つまたは複数の開口部を含む。いくつかの実施形態では、穴は薬剤包装システムのハウジングの表面と共に配置される。いくつかの実施形態では、ボタンは、開封に抵抗するおよび／または開封を防止するために、円形の穴とオフセットした状態で係合するように構成される。いくつかの実施形態では、突起は円形である。いくつかの実施形態では、ボタンは、穴を通って嵌合するように構成された様々な形状を含む。いくつかの実施形態では、ボタンは、ボタンに加えられた下向きの力がボタンが並進して穴と並ぶまでボタンを穴から解放しないように穴の表面と摩擦嵌め係合を形成するように構成される。
【００１１】
いくつかの実施形態では、薬剤包装システムは、例えばスリーブなどのハウジングと、ボタンに第１の方向に力を加えさせて摩擦嵌めおよび／または締まり嵌め構成で穴の表面と係合し解放に抵抗するおよび／または解放を防止するばね力を有するように構成された医薬品容器とを含む。いくつかの実施形態では、ロック機構は、患者がボタンを第２の反対方向にスライドさせてボタンを穴と整列させることによって作動される。いくつかの実施形態では、ボタンは次に、医薬品容器をスリーブから解放するために、医薬品容器を保持しながら下向き方向に押される。いくつかの実施形態では、患者は、医薬品容器をスリーブから引き出すかまたは引っ張り出す。いくつかの実施形態では、医薬品を見るための展開を容易にするために、医薬品容器は解放され、スリーブから弾力的に拡張する。いくつかの実施形態では、巻き上げられた医薬品容器をスリーブ内に押し戻すと、医薬品はスリーブでロックされる。
【００１２】
いくつかの実施形態では、ボタンはスリーブの上面に配置される。いくつかの実施形態では、ボタンは、チャイルドレジスタントロック機構を促すために、底面、背面、および／または上面と底面との組み合わせの上に配置される。
【００１３】
いくつかの実施形態では、ボタンは様々な形状で構成され、医薬品容器を押す必要なしに穴から解放可能である。いくつかの実施形態では、ボタンは、整列を容易にするために互いに対して反対方向に並進するように構成され得る。いくつかの実施形態では、ボタンは円形の穴を通過するように構成される。いくつかの実施形態では、ボタンはスリーブに穴がなくても係合可能である。いくつかの実施形態では、ロック機構は医薬品容器を捕獲するように構成されたプラスチック指部を含む。
【００１４】
いくつかの実施形態では、システムは、例えばカバーと底部とを有する箱などのハウジングを含む。医薬品容器は箱に配置され、スクロール構成を含む。いくつかの実施形態では、箱はロック機構を含む。いくつかの実施形態では、ロック機構は、例えば後部コーナー面などの箱のコーナー面に配置された開口部を含む。いくつかの実施形態では、開口部のこの位置決めにより完全なカバレッジ箱構成が提供される。いくつかの実施形態では、カバーが開封された向きにあるときに開口部が見える。いくつかの実施形態では、箱は少なくとも２つの開口部を含み、一方はロッキングタブと係合するように構成され、他方は例えば持ち上げることによってなど、医薬品容器の開封を容易にするように構成される。
【００１５】
いくつかの実施形態では、開口部のうちの１つは、例えば弾性バネタブなどのロッキングタブを含む。いくつかの実施形態では、バネタブはプラスチック材料を含む。いくつかの実施形態では、バネタブは、バネタブが作動されるまで医薬品容器の開封に抵抗するおよび／または開封を防止するために医薬品容器と係合するように構成される。いくつかの実施形態では、バネタブの作動は、医薬品容器を開封するために持ち上げるために他方の開口部に指を挿入しながら、バネタブを医薬品容器から離れる方向に押すことを含む。いくつかの実施形態では、医薬品容器はスクロール構成を含み、開封するために展開される。いくつかの実施形態では、医薬品容器は元の構成に巻き戻され、ロックのためにバネタブと係合される。
【００１６】
いくつかの実施形態では、システムは、例えば朝の１回分服用量および夕方の１回分服用量など、１日２回の医薬品１回分服用量を有する医薬品カードを含む医薬品容器を含む。いくつかの実施形態では、医薬品カードは、医薬品１回分服用量の第１の横列および医薬品１回分服用量の第２の横列を含む。いくつかの実施形態では、第２の横列は第１の横列に対してオフセットおよび／または食い違い状になっている。いくつかの実施形態では、第１の横列内の医薬品１回分服用量の間に隙間が配置され、それにより、第２の横列の医薬品１回分服用量は、医薬品容器が巻かれて閉鎖されると隙間の中に入れ子状になるように構成される。
【００１７】
いくつかの実施形態では、医薬品容器は、複数の開口部を有する医薬品カードを含む。いくつかの実施形態では、医薬品１回分服用量のストリップが開口部と共に配置されるように構成される。いくつかの実施形態では、医薬品１回分服用量のストリップは医薬品カードに接着されるように構成される。
【００１８】
いくつかの実施形態では、箱は底部を有する。いくつかの実施形態では、底部は厚手の材料を含む。いくつかの実施形態では、箱は医薬品容器と共に配置されるカバーを含む。いくつかの実施形態では、医薬品容器はより軽量の材料を含む。いくつかの実施形態では、医薬品容器は箱と共に配置され、スクロール構成を含む。いくつかの実施形態では、箱はロック機構を含む。いくつかの実施形態では、ロック機構はラッチ機構を含む。いくつかの実施形態では、ラッチ機構は箱の内面に配置される。いくつかの実施形態では、ラッチ機構は、チャイルドレジスタントロック位置と医薬品アクセス可能開封位置との間で配置されるように構成された、フックを有する上部スライダと、フックを有する底部スライダとを含む。
【００１９】
いくつかの実施形態では、ラッチは、チャイルドレジスタントロック位置から医薬品アクセス可能開封位置へ係合解除するためにスライドを反対方向に並進させるのに両手を必要とする第１スライドおよび第２スライドを含む。いくつかの実施形態では、チャイルドレジスタントロック位置から医薬品アクセス可能開封位置への係合解除のために両方のスライドが反対方向に並進移動し、単一のスライドの並進移動は、ラッチ機構をチャイルドレジスタントロック位置から医薬品アクセス可能開封位置へ係合解除しない。いくつかの実施形態では、例えばラッチフックのバネ付勢係合によって、医薬品容器がハウジングとの閉鎖位置に戻されると、ラッチは自動的に係合してチャイルドレジスタントロック位置に配置される。
【００２０】
一実施形態において、本システムは、患者が例えば心筋梗塞などの１種以上の疾患、病気、および／または慢性の病気の後に例えば病院などの医療施設から退院し、１つ以上の医薬品を処方され得るように、ある方法とともに使用される。いくつかの実施形態において、患者は、例えば抗血小板剤、アスピリン、ベータブロッカー、ＡＣＥ阻害剤、ＡＲＢスタチン、ニトログリセリン、ドキュセートおよび／または抗うつ剤などの医薬品を指示および／または処方される場合がある。いくつかの実施形態において、本システムは、患者がこのような計画に従わないことおよび／または医薬品を処方または指示された通りに服用しないことがないようにするために使用される。いくつかの実施形態において、服薬非遵守は、患者が処方薬を補充しないこと、処方された医薬品の服用を忘れること、１回分服用量を間違えること、および／または医薬品の服用時間を間違えることを含み得る。いくつかの実施形態において、本システムは、長期投薬、例えば３０日分の処方または９０〜１００日の通信販売補充のための方法とともに使用される。いくつかの実施形態において、本システムは服薬遵守を促す方法とともに使用される。いくつかの実施形態において、本システムは、服薬遵守を表示および／または証明する方法とともに使用される。例えば、医師に予約を取って通院した患者が、例えば服薬遵守パックなどの本システムを提示し、本明細書に記載のように、服薬遵守の証拠のために１つ以上のブリスターパックを開封することを含み得る服薬遵守パックの使用を医師に表示しおよび／または示す。いくつかの実施形態において、本システムは、例えば、ＨＩＶ／ＡＩＤＳ、脂質異常症（高コレステロール）、高血圧症（高血圧）、メタボリックシンドローム／糖尿病に関連するインスリン不耐性、心理的疾患の治療用の抗レトロウィルス薬（ＡＲＶ）などの医薬品の投与、および／または移植／抗拒絶反応薬の投与を含み得る例えば肺炎、心不全、痛み、伝染性疾病などの１種類以上の疾患、病気、および／または慢性の病気の治療のために患者に医薬品包装を分配する方法とともに使用される。
【００２１】
いくつかの実施形態において、本システムは、病状の治療を目的として医薬品を保管し、輸送し、取り出すための医薬品分配システムとその使用方法とを含む。いくつかの実施形態において、本システムは、例えば、血圧上昇、脂質異常症（高コレステロール）、糖尿病、メタボリックシンドローム、心不全、肺炎、心臓欠陥、関節炎、痛みが進行中の治療計画の一部である病気などの病気の治療のための医薬品、および／または例えば、経口避妊薬、ホルモン補充薬、および例えばカルシウムサプリメントとともにビタミンＡ、Ｄ、およびＥを含む栄養補給食品などの栄養補助食品などの生活習慣に関連する医薬品を保管し、輸送し、取り出すための医薬品分配システムとその使用方法とを含む。いくつかの実施形態において、本方法は、心筋梗塞後の心臓病の治療を含む。一実施形態において、本開示のシステムおよび方法は、治療計画の一部として、複数の薬、１回分服用量の投与またはスケジュールを必要とする病気を患う人を助けるために用いられる。一実施形態において、本開示のシステムおよび方法は、チャイルドレジスタンス性を提供する一方で大人が簡単にアクセスできる医薬品分配装置を含む。
【００２２】
一実施形態において、医薬品容器は、ブリスターカード上に複数の医薬品を含み得る。一実施形態において、医薬品容器は、例えば約１週間から約９０日など一定期間後に使い捨て可能であり、特定の実施形態では、１日に服用する医薬品が５つ以下の場合に、１週間後に使い捨て可能である。いくつかの実施形態において、本明細書に記載のように医薬品が予め充填されている１つ以上のブリスターカードが製造業者から提供される。いくつかの実施形態において、例えば薬剤師などの専門家が、医師の処方に基づいて１つ以上の予め充填されたブリスターカードを決定して選択し、医薬品容器を作製する。いくつかの実施形態において、製造業者は、選択されたブリスターカードが収納され医師の処方に従って医薬品が予め充填されている医薬品容器を提供する。一実施形態において、医薬品容器は、７日間治療計画ブリスターストリップを含む。
【００２３】
一実施形態において、医薬品容器は、外側スリーブと、例えばスクロールパックなどの内側容器とを含む。いくつかの実施形態において、医薬品容器は、複数の薬が簡単に理解されるように組織化されるべく構成される。いくつかの実施形態において、スリーブおよび／または内側容器は、ボール紙から作られる。いくつかの実施形態において、内側容器はスリーブから取り出されて、中に保持されている薬剤に患者がアクセスできるように構成される。いくつかの実施形態において、内側容器はスリーブにつながれている。いくつかの実施形態において、スリーブは開放面を含み、この開放面から内側容器が取り出される。いくつかの実施形態において、スリーブは、適所で内側容器と係合して内側容器をロックするためのタブを含む。いくつかの実施形態において、内側容器は複数の医薬品カードを含み、スリーブから取り出された後に巻かれた状態から展開されるように構成される。いくつかの実施形態において、医薬品カードはそれぞれ、内側に折り畳まれて概ね矩形の断面形状をなすように構成される。いくつかの実施形態において、医薬品カードは、表側の外面が医薬品ストリップを含み表側の内面が医薬品情報ラベルを含むように、長手方向軸に沿って折り畳まれる。いくつかの実施形態において、内側容器のサイズは、患者の治療計画のための多数の医薬品カードに対応するように定められる。いくつかの実施形態において、内側容器は、５枚の医薬品カードを保持するように構成される。いくつかの実施形態において、内側容器のサイズは、少なくとも１枚のカードに対応するように定めてもよい。
【００２４】
いくつかの実施形態において、内側容器は、折畳み線が予め設けられているセグメント化されたストリップであり、折畳み線は、交互パターンで配置される医薬品カード部分を画定する。いくつかの実施形態において、医薬品カード部分は折畳みフラップを含み、折畳みフラップは、医薬品カードの上に折畳まれて医薬品カードを適所で保持するように構成される。いくつかの実施形態において、医薬品カードは、内側容器の折畳みフラップに対応する切欠きを含む。いくつかの実施形態において、折畳みフラップの内面は、医薬品カードをスクロール容器に接着するための接着材料を含む。いくつかの実施形態において、すべての医薬品カードがスクロール容器に接着されると、複数の医薬品１回分服用量が格子状に示されて、患者の投与計画を分かり易いように示す。
【００２５】
いくつかの実施形態において、各医薬品カードは７つの医薬品１回分服用量収容部を含み、１つの収容部は１週間のうちの１日に対応する。いくつかの実施形態において、医薬品カードには、意図される１回分服用量に対応する曜日を示す表示が配置される。いくつかの実施形態において、医薬品カードは、複雑な投与計画に従うことを促すように配置される。いくつかの実施形態において、医薬品カードは、患者が毎日各医薬品カードから１つの医薬品を取り出せるように構成される。いくつかの実施形態において、医薬品カードは、患者が、格子の縦列に沿って組織化されている「月曜日」の１回分服用量をすべて一度に取り出せるように構成される。いくつかの実施形態において、医薬品カードは、１回分服用量を取り出した後に、収容部に残っている押し潰された後の残骸が服薬遵守の証拠となり患者に翌日分の１回分服用量を取るように指示するように構成される。
【００２６】
いくつかの実施形態において、医薬品容器は、外側スリーブと、段差状に配置された複数の医薬品カードを有する内側容器とを含む。いくつかの実施形態において、医薬品カードは、各カードの一部が患者から見えるように傾斜構造で配置される。いくつかの実施形態において、医薬品容器は複数の医薬品カードを含む。いくつかの実施形態において、医薬品カードはそれぞれ、内側に折り畳まれて概ね矩形の断面形状をなすように構成される。いくつかの実施形態において、医薬品カードは、表側の外面が医薬品ストリップを含み表側の内面が医薬品情報ラベルを含むように、長手方向軸に沿って折り畳まれる。いくつかの実施形態において、医薬品カードは、複数の収容部と１つの取外し可能な蓋とを有する底側部材を含む。いくつかの実施形態において、医薬品カードは、それぞれが１つの曜日に対応する７つの収容部を含む。いくつかの実施形態において、この蓋は、７つのストリップを含む箔を含み、各ストリップは対応する収容部を覆うように構成される。いくつかの実施形態において、箔ストリップは、底側部材から剥がされて、収容部の中に保管されている医薬品１回分服用量にアクセスできるようにする。いくつかの実施形態において、これらのストリップは、意図された１回分服用量に対応する曜日を患者に示すために、色、数字、または曜日などの表示を含む端部を含む。いくつかの実施形態において、上記ストリップは、穿孔ラインに沿って切り離すことが可能である。いくつかの実施形態において、収容部は、中に保持されている医薬品１回分服用量を患者が取り出すことによって押し潰されるまたは変形されるように構成される。いくつかの実施形態において、医薬品カードは、各カードの表示が見えるように互いに重ねられる。いくつかの実施形態において、医薬品カードは、患者が所与の日に残っている薬剤と既に服用した薬剤とを簡単に見分けられるように、配置される。いくつかの実施形態において、医薬品容器は、長さが約８．２５インチ、幅が約４．７５４インチ、高さが約１．７５インチである。
【００２７】
いくつかの実施形態において、医薬品容器は、閉鎖部および開封タブ、および／または、チャイルドレジスタンスプッシュ／スライドロックを含む。いくつかの実施形態において、医薬品容器は、内部カード保持クリップを含む。いくつかの実施形態において、クリップは、医薬品カードが取り外されないようにするためのフックを含む。いくつかの実施形態において、クリップは、患者が医薬品カードを取り出すおよび／または取り換えることができるようにするためのフックを含む。いくつかの実施形態において、クリップにより、薬剤師は、必要に応じて薬剤カードを取り出すまたは再配置することができ、クリップからタブを切り取ってカードを恒久的にロックすることにより、患者が簡単にカードを取り出すことに抵抗および／または防止することができる。
【００２８】
いくつかの実施形態において、医薬品容器は、医薬品容器の上面に配置されたパネルを含む。いくつかの実施形態において、このパネルは、開かれるように構成され、例えば、追加の製品資料、患者が薬剤に関する経験をメモするための場所、および／または役に立つ情報などを含み得る。いくつかの実施形態において、このパネルは、医薬品容器を開封することなく利用することができる。
【００２９】
いくつかの実施形態において、医薬品容器は、医薬品容器を開閉するように構成されたフラップを有する閉鎖パネルを含む。いくつかの実施形態において、このフラップは、医薬品容器の中に押し込まれるように構成される。いくつかの実施形態において、このフラップは、運搬中または不使用時には医薬品容器を完全に閉鎖するように構成される。
【００３０】
いくつかの実施形態において、医薬品容器は、開閉し易くするように構成された半月型の開口部を有するフラップを含む。いくつかの実施形態において、このフラップは、引っ張る動きによって開封を容易にするように構成された半月型の開口部を有する。いくつかの実施形態において、医薬品容器は、折り曲げられたおよび／または糊付けされた部分を含み得る１枚の厚紙から作製される。
【００３１】
一実施形態では、薬剤分配システムは、例えば１週間などの期間にわたる複雑な投薬計画を提供する。いくつかの実施形態では、複雑な投薬計画は、退院後の患者の最初の外来来院まで続く期間にわたって提供される。一実施形態では、１つ以上の医薬品が薬剤分配システムに含まれる。一実施形態では、医療処置後に患者に処方された医薬品が薬剤分配システムに含まれる。一実施形態では、以前患者によって服用されていた医薬品が、薬剤分配システムに含まれる。
【００３２】
いくつかの実施形態では、本システムは、１つ以上の医薬品を含む医薬品包装を含む。いくつかの実施形態では、医薬品包装は、例えば表示を含む単位用量ページなどの部材を含む。いくつかの実施形態では、表示は、処方されたおよび／または処方されていない計画によって必要とされる医薬品および１回分服用量に関する情報を含む。いくつかの実施形態では、表示は薬物の名称および薬物の医学的効果を含み得る医薬品の説明を含む。一実施形態では、単位用量ページは、必要に応じて患者に対応するための他の医薬品または１回分服用量を表す表示を含み得る。一実施形態では、単位用量ページは、必要に応じて患者に対応するために他の医薬品または１回分服用量を表す表示を追加するためのスペースを含み得る。一実施形態では、表示は単位用量ページにスクリーン印刷される。一実施形態では、表示は単位用量ページに手書きされる。
【００３３】
いくつかの実施形態では、本システムは、薬剤師によって部分的または全体的に充填および包装される薬剤分配システムを含む。いくつかの実施形態では、薬剤分配システムは、例えばボール紙などの弾性材料を含む。いくつかの実施形態では、薬剤分配システムは、チャイルドレジスタント包装を提供する一方、成人が容易にアクセスできる。いくつかの実施形態において、薬剤分配システム内の医薬品にアクセスするための方法が提供される。いくつかの実施形態では、この方法は、子供にとっては実行が困難であるが成人にとっては実行が簡単な連続的および／または同時的な動作を要求するステップを含む。一実施形態では、医薬品包装はスライド可能なロック機構を含む。いくつかの実施形態において、ロック機構は、非ロック位置とロック位置との間で移動可能である。いくつかの実施形態では、ロック機構は、非ロック位置とロック位置との間の移動の可聴指示を提供する。
【００３４】
一実施形態において、本システムは、複数の医薬品を含む医薬品治療計画を含む。一実施形態において、本システムは、患者の複雑な投与計画において各医薬品の整理を提供する薬剤分配システムを含む。一実施形態において、この計画中の別個の各医薬品は、薬剤包装容器に含まれる別個の単位用量ページに保管されている。一実施形態において、本システムは、各単位用量ページ上に設けられた１日または複数日分の療法を含む方法とともに用いられる。一実施形態において、本システムは、各単位用量ページ上に設けられた１４日分の療法を含む方法とともに用いられる。一実施形態において、医薬品包装は、薬剤師が組立て、充填し、封止する１つ以上の単位用量ページを含む。一実施形態において、薬剤包装容器はチャイルドレジスタント性であり、単位用量ページはチャイルドレジスタント性でない。
【００３５】
本開示は、以下の実施形態の詳細な記載を、本開示の一部を構成する添付の図面とともに参照することによって一層容易に理解されるであろう。本出願は、本明細書に記載されているおよび／または示されている特定の装置、方法、条件またはパラメータに限定されるのではないこと、および、本明細書で使用される用語は専ら例として特定の実施形態を記載することを目的としているのであって限定を意図しているのではないことが理解されるはずである。いくつかの実施形態において、付随する特許請求の範囲を含めて本明細書で使用されている場合、単数形（「ａ」、「ａｎ」、「ｔｈｅ」）は、明らかに文脈に反しない限り複数形を含み、特定の数値に言及している場合、これは少なくともその特定の値を含む。範囲は、本明細書において、「約」または「およそ」１つの特定値から、「約」または「およそ」別の特定値までとして示されることがある。このような範囲が示される場合、別の実施形態は、上記１つの特定値から、および／または上記別の特定値までを含む。同様に、値が「約」を前に付けて概数として表現される場合、その特定値が別の実施形態を構成することが理解されるであろう。また、例えば、水平、鉛直、頂部、より上、より下、底部、左、および右などの空間に関する言及はすべて、例示を目的としているだけであり、本開示の範囲の中で変化し得ることが理解されるであろう。例えば、「より上」および「より下」という言及は相対的なものであって、他方との関連で使用されるに過ぎず、必ずしも「上位」および「下位」ではない。
【００３６】
付随の特許請求の範囲を含めて本明細書で使用される場合、疾患または病態を「治療すること」またはその「治療」は、患者（人間またはその他の哺乳動物）に１つ以上の医薬品を投与することを含み得る。緩和は、疾患または病態の徴候または症状が現れる前およびそれが現れた後に生じる可能性がある。よって、治療することまたは治療は、疾患または望ましくない病態を防止することまたはその防止（例えば、その疾患にかかりやすい状態であった可能性はあるがその疾患に罹患したという診断はまだ下されていない患者がその疾患に罹患することを防止すること）を含む。加えて、治療することまたは治療は、徴候または症状を完全に緩和しなければならない訳ではなく、治癒させなければならない訳ではなく、具体的には、患者に対する効果がわずかしかない処置を含む。治療は、疾患を阻害すること、例えばその進展を阻止することまたは疾患を軽減すること、例えば後退させることを含み得る。例えば、治療は、急性または慢性の炎症を軽減すること、抗血小板作用を生じさせること、高血圧症を緩和すること、およびコレステロールを低下させることを含むが、これらに限定されない。
【００３７】
いくつかの実施形態において、生物学的活性物質は、活性治療物質、代謝物質、ホルモン、ステロイド、ビタミン、脂肪酸、アミノ酸、糖、炭水化物、ポリペプチド、またはミネラルを含む、薬剤、医薬品、または薬物を含む、１つまたは複数の何らかの物質を含む。いくつかの実施形態において、生物学的活性物質は、疾患または病気の治療、防止、診断、治癒または緩和のために使用される何らかの物質を含む。いくつかの実施形態において、生物学的活性物質は、解剖学的構造または生理機能に影響する何らかの物質を含む。いくつかの実施形態において、生物学的活性物質は、動物に対する外的作用の影響を変える何らかの物質またはその代謝物質を含む。いくつかの実施形態において、複雑な投与計画は、一日のうちの指定時間に複数の投与単位を系統的に投与することを含む。いくつかの実施形態において、投与は物質を個別に身体組織内に放つことを含む。
【００３８】
以下の考察は、薬剤分配容器を含む薬剤分配システム、関連する構成要素、およびこの薬剤分配システムを用いる方法の記載を含む。代替実施形態も開示される。添付の図面に示されている本開示の典型的な実施形態を詳細に参照する。図１〜図７を参照すると、薬剤分配システム１０の構成要素が示されている。
【００３９】
薬剤分配システム１０の構成要素は、個別にまたはまとめて、医薬品の保管および分配に適した材料から作製することができる。いくつかの実施形態において、このような材料は、金属、セラミック、熱可塑性物質などの合成ポリマー、半剛性および剛性材料、エラストマー、織物、および／またはそれらの複合体を含む。薬剤分配システム１０のさまざまな構成要素は、上記材料を含む材料の複合体を有し得るものであり、それにより、強度、合成、弾性、順応性、および耐性などの所望のさまざまな特性を得る。薬剤分配システム１０の構成要素はまた、個別にまたはまとめて、上記材料のうちの２つ以上の組み合わせなどの異種材料から作製することもできる。薬剤分配システム１０の構成要素は、本明細書に記載のように、一体的に形成されてもよく、一体的に接続されてもよく、または、結合要素および／または器具を含んでいてもよい。
【００４０】
薬剤分配システム１０は、例えば、全体的に矩形の断面形状を有するポケットおよび／またはスリーブ１２などのハウジングを含む。スリーブ１２は、上面１４、底面１６および側壁１８を含む。一実施形態において、上面１４および底面１６は矩形の形状を有する。スリーブ１２は図６に示されるように内側キャビティ２０を画定する表面を含む。内側キャビティ２０は、例えば、本明細書に記載されるようなスクロール容器３２など、医薬品容器を受け入れるように構成された通路を含む。スリーブ１２は、内側キャビティ２０へのアクセスを提供するように構成された上面１４と底面１６との間に配置された開口部２２を含む。いくつかの実施形態では、スリーブ１２、上面１４および／または底面１６のすべてまたは一部だけが、例えば、楕円形、楕円形、三角形、正方形、多角形、不規則、均一、不均一、オフセット、食い違い、および／またはテーパ状などの、代わりの断面構造を有してもよい。いくつかの実施形態において、スリーブ１２は、１つまたは複数の開口部２２を含む。いくつかの実施形態において、スリーブ１２は、図５に示されるように、開口部２２の対を含む。いくつかの実施形態において、開口部２２は、円形の構造を含む。いくつかの実施形態において、開口部２２のすべてまたは一部だけが、例えば、楕円形、長円形、三角形、正方形、多角形、不規則、均一、不均一、オフセット、食い違い、および／またはテーパ状などの、代わりの断面構造を有してもよい。
【００４１】
スクロール容器３２は、本明細書に記載されるように、内側キャビティ２０内に配置するために構成される。スクロール容器３２は、テザー３３によってスリーブ１２に取り付けられる。テザー３３は、スクロール容器３２がスリーブ１２から引き出されるがスリーブ１２から分離できないように構成される。いくつかの実施形態において、スクロール容器３２は、内側キャビティ２０への開口部の反対側に配置された側壁１８の内面に取り付けられる。いくつかの実施形態において、スクロール容器３２は、内側キャビティ２０への開口部に隣接する上面１４または底面１６の内面に取り付けられる。テザー３３は、例えば、接着材料でスリーブ１２の内面に接着されるカードストックなど、スリーブ１２および／またはスクロール容器３２の材料と同様の材料から作製されてもよい。いくつかの実施形態において、テザー３３は、例えば、織物またはナイロンなどのポリマー複合材料など、スリーブ１２および／またはスクロール容器３２の材料と異なる材料を含んでもよい。
【００４２】
テザー３３は、スリーブ１２に対するスクロール容器３２の移動のための可動域を提供するように構成されている。いくつかの実施形態では、スクロール容器３２は、テザー３３の周りを０〜３６０度の角度範囲で回動可能である。いくつかの実施形態では、テザー３３は、スクロール容器３２を広げることができるように、スリーブ１２から所定の距離内でスクロール容器３２を動かすように構成されている。
【００４３】
いくつかの実施形態では、ユーザがスリーブ１２からスクロール容器３２を取り出すのを助けるための指示を提供するために、スリーブ１２上に表示が提供される。いくつかの実施形態において、表示は、スリーブ１２の開口部から見ることができるスクロール容器３２の表面に配置される。例えば、表示は、スクロール容器３２の表面上に印刷することができる「ここを引く」などの指示文の形態とすることができる。図１に示すように、スクロール容器３２は、本明細書に記載するようにスクロール容器３２の内容を示すために、図６の矢印Ａで示す方向にスクロール容器３２を内側キャビティ２０から外へ並進移動させることによってスリーブ１２から取り出される。
【００４４】
いくつかの実施形態では、薬剤分配システム１０はチャイルドレジスタンス機構を含むが、成人は容易にアクセス可能である。例えば、薬剤分配システム１０は、構成要素が、例えば図１に示されるようなチャイルドレジスタント性の、ロックされた、および／または医薬品にアクセスできない構成と、例えば図５に示されるようなロック解除されたおよび／または医薬品にアクセスできる構成との間で移動できるようにスリーブ１２と係合可能なスクロール容器３２を含む。
【００４５】
いくつかの実施形態では、スクロール容器３２は、例えばボタン１０２などの突起を画定する表面１００を含む。ボタン１０２はそれぞれ、図１Ａ〜３Ａに示すように、突起１０６を画定する表面１０４を含む。いくつかの実施形態では、突起１０６はボタン１０２から横方向に延びてスリーブ１２の表面１０８と係合し、それによって保持される。いくつかの実施形態では、突起１０６は、例えば横断方向および／または鋭角または鈍角など他の角度向き、同軸などボタン１０２に対して代わりの向きで延在してもよく、および／またはオフセットされてもまたは食い違っていてもよい。いくつかの実施形態では、ボタン１０２は、表面１０４の周りに放射状に配置された１つまたは複数の突起１０６を含むことができる。
【００４６】
表面１０４は、図１Ａに示すように、スリーブ１２の表面１０８と係合するように構成されている。突起１０６は、開口部２２を通るボタン１０２の通過を妨げるために、開口部２２に対してオフセット配置で配置されている。表面１０４、１０８は、スリーブ１２からスクロール容器３２が外れるのを阻止および／または防止するために締まりばめで配置される。ボタン１０２は、チャイルドレジスタントロック構成（図１および図１Ａ）と、開封された医薬品アクセス可能構成（図３および図３Ａ）との間で配置されるように構成されている。ロック構成では、締まりばめは、スクロール容器３２によって図１の矢印Ｃで示す方向に加えられる弾性力によって形成される。いくつかの実施形態では、スクロール容器３２は、スクロール容器３２および／またはテザー３３を形成する弾性材料のために、スリーブ１２内に弾性的に配置されている。
【００４７】
ボタン１０２は、スクロール容器３２を図３の矢印Ｄで示す方向にスライドさせることによって操作および／または並進移動され、これにより、図３Ａに示すように、表面１０４が表面１０８から外れ、これにより、スリーブ１２およびスクロール容器３２は、開封された医薬品にアクセス可能な構成に配置される。ボタン１０２を操作すると、ボタン１０２は開口部２２と整列する。この位置で、ボタン１０２は、邪魔されることなく開口部２２を通過することができる。ボタン１０２が開口部２２と整列されると、ボタン１０２は、図４の矢印Ｅによって示されるように、下向き方向に押され、スクロール容器３２をスリーブ１２から解放する。
【００４８】
いくつかの実施形態では、指示表示は開口部２２に隣接して配置されて、ユーザが薬剤分配システム１０をチャイルドレジスタントロック構成から開封構成に動かすのを助ける。いくつかの実施形態では、表示はスリーブ１２の表面におよび／または開口部２２に隣接して配置される。いくつかの実施形態では、表示は開口部２２を動かす移動の方向を示す矢印で記されてもよい。いくつかの実施形態では、開口部２２を移動させるための移動方向を示すために、「ここを押す」などの指示文を開口部２２上にまたは隣接して印刷することができる。
【００４９】
いくつかの実施形態では、スクロール容器３２は、交互のパターンで複数の医薬品カード部分３４と背骨部分３６とを含む。医薬品カード部分３４は、本明細書で考察されるように、医薬品カード６０を受け入れるようにサイズ決めされている。完全に広げられると、スクロール容器３２は、背骨部分３６が医薬品カード６０の間に配置された状態でスリーブ１２の開口部２１から延びる。様々な実施形態において、医薬品カード部分３４は背骨部分３６よりも幅広である。部分３４、３６は、スクロール容器３２の回転を可能にするようにサイズを決められる。いくつかの実施形態では、隣接する背骨部分３６は、複数の医薬品カード６０の伸張に対応するために様々な長さを含む。
【００５０】
いくつかの実施形態では、医薬品カード６０は、医薬品カード部分３４などのスクロール容器３２上の指定された部分に取り付け可能である。いくつかの実施形態では、医薬品カード６０は接着剤で医薬品カード部分３４に接着される。いくつかの実施形態では、スクロール容器３２は、各医薬品カード部分３４に対向して位置するフラップ３８を含む。フラップ３８は、折り線４０でスクロール容器３２に取り付けられ、スクロール容器３２の医薬品カード部分３４の幅を越えて延びる。フラップ３８は、０から約３６０度の角度範囲にわたって、医薬品カード部分３４に対して折り線４０を中心に回転可能である。フラップ３８は、本明細書で考察するように、折り線４０に沿って医薬品カード６０の上に折り重ねられたときにフラップ３８が医薬品カード６０を定位置に保持するように接着材料を受容するように構成される。
【００５１】
薬剤分配システム１０は、本明細書に記載されているように、例えば医薬品にアクセス可能な構成などの開封位置と、例えばチャイルドレジスタント構成などの閉鎖位置との間で移動可能である。閉鎖構成では、スクロール容器３２は、例えばその中に収容されている医薬品カード６０などの薬剤分配システム１０の内容物へのアクセスを防止するために巻き上げられるまたは巻かれる。開封構成では、スクロール容器３２は、図６の矢印Ｂ１で示す方向に回転可能であり、これにより、スリーブ１２の内側キャビティ２０の内容物へのアクセスが容易になる。
【００５２】
閉鎖構成に移動するとき、医薬品カード部分３４および背骨部分３６は、図６の矢印Ｂ２によって示されるように、反対方向に互いに向かって回転する。ユーザは、各医薬品カード部分３４と背骨部３６との間に位置する折り線４０に沿って各医薬品カード部分３４を回転させる。ユーザは、すべての医薬品カード６０がスクロール容器３２の内側に包み込まれるまで末端部で始まる各連続する医薬品カード部分３４および背骨部分３６を回転させる。
【００５３】
スクロール容器３２は、例えば少なくとも１つの医薬品の一回分投与量などの１つまたは複数の医薬品を保管および／または収容する１つまたは複数の医薬品カード６０を備える。医薬品の一回分投与量が複数の収容部７２に封入され密封される。いくつかの実施形態では、スクロール容器３２は複数の医薬品カード６０を含む。各医薬品カード６０は、折り曲げられて医薬品カード６０の表側の内面に接触し接着された対向して配置されたフラップ３８によって定位置に保持される。いくつかの実施形態において、各医薬品カード６０は、患者の投薬計画の一部である各医薬品が別々の医薬品カード６０上に編成されるように、異なる医薬品を封入する。
【００５４】
いくつかの実施形態において、医薬品カード６０は、この医薬品カード６０内に保持されている患者の１日分の医薬品投与量を示す収容部７２を含む。いくつかの実施形態において、医薬品カード６０は表示７４を含み、表示７４は、１つ以上の収容部７２に隣接する所定部分に配置されこの所定部分から表示され、収容部７２に封入されている医薬品に関する情報を示す。
【００５５】
いくつかの実施形態において、薬剤分配システム１０は、本明細書に記載のように、投与計画の服薬率を高めることによって治療面および／または栄養面で患者をサポートする使い捨ての分配装置を含む。いくつかの実施形態において、薬剤分配システム１０および／または１つ以上の医薬品カード６０は、複数の収容部７２を含むブリスターパックを含む。いくつかの実施形態において、各収容部７２は、投与単位を収容し、この投与単位を他の投与単位から隔離する。いくつかの実施形態において、各投与単位内の生物学的活性物質は、他の投与単位の生物学的活性物質に接触することはない。
【００５６】
いくつかの実施形態において、薬剤分配システム１０および／または１つ以上の医薬品カード６０は、複数の収容部７２で構成された少なくとも１つの横列および／または表示７４を含む部分を含むブリスターパックを含む。いくつかの実施形態において、各収容部７２は、生物学的活性物質を１種類のみ有するかまたは複数種の保管に適した物質を有する投与単位を１つだけ保持するように設計される。いくつかの実施形態において、各収容部７２は、複数の投与単位を保持するように設計される。
【００５７】
いくつかの実施形態において、１つ以上の収容部７２を含む所定の各領域は、独立して取外し可能なまたは破ることが可能なシールを有してもよい。いくつかの実施形態において、各収容部７２は耐湿性を有し独立して封止される。いくつかの実施形態において、１つ以上の収容部７２は、アルミ箔または積層アルミ箔からなる蓋材料を有する押出し式パックを含むブリスターパックを含み得る。いくつかの実施形態において、１つ以上の収容部７２の基材は、例えばＰＶＣ、ポリアミド、ポリオレフィン、ポリエステルなどのプラスチック、および積層物、または多層材料であってもよい。いくつかの実施形態において、収容部７２の蓋の箔には、各収容部７２の領域において脆弱ラインが設けられてもよく、それによりこの脆弱ラインは蓋の箔を操作することにより収容部７２を露出させることができる掴むためのタブであってもよい。
【００５８】
いくつかの実施形態において、収容部７２は、プラスチック、積層プラスチック、積層プラスチック／紙、または積層プラスチック／金属箔からエンボス加工、深絞り成形、または真空成形されてもよい。いくつかの実施形態において、収容部７２は、積層プラスチックに埋め込まれたアルミニウム箔、または、２つのプラスチック層の間に埋め込まれたセラミック層または金属層などの金属箔から作製され得る、気体または蒸気に対するバリア層を含む。
【００５９】
いくつかの実施形態において、１回分投与量の薬剤、医薬品、または薬物は、例えば、咀嚼錠剤、急速溶解錠剤、発泡性錠剤、再構成可能な粉末、エリキシル剤、液体、溶液、懸濁液、乳剤、錠剤、多層錠剤、二層錠剤、カプセル、ソフトゼラチンカプセル、ハードゼラチンカプセル、カプレット、トローチ剤、咀嚼トローチ剤、ビーズ剤、粉末剤、顆粒剤、分散顆粒剤、カシェ剤、洗浄剤、坐薬、クリーム、外用薬、吸入剤、エアゾル吸入剤、貼布剤、粒子吸入剤、留置剤、デポ留置剤、ドラジェ剤、アンプル剤、経口摂取剤、注入剤、点滴薬、ヘルスバー、液剤、食品、栄養食品、機能食品、ヨーグルト、ゼラチン、シリアル、シリアルコーティング、動物性食品および／またはこれらの組み合わせなどを含み得る。
【００６０】
いくつかの実施形態において、投薬計画、説明書、指示、および／または投薬計画の適用のための処方の表示７４は、服用日の表示、特定曜日例えば月曜、火曜、水曜、木曜、金曜、土曜、日曜など、または、これらの曜日の略語、特定の日付、または第１日、第２日、第３日などの概ね連続する日を含み得る。いくつかの実施形態において、表示７４は時間の表示を含み得る。これは、例えば、収容部７２それぞれに対応する一日のうちのおおよその時間、または、収容部７２それぞれに対応する一日のうちの特定の時間、例えば、ＡＭ、ＰＭ、午前、午後、夕方、昼、夜、日中、夜間、およびこれらの組み合わせなどである。いくつかの実施形態において、表示７４は、ＡＭ服用分およびＰＭ服用分など、一日のうちの時間を示す医薬品カード６０の独立した各横列または縦列を含み得る。いくつかの実施形態において、収容部７２および／または隣接部分は、時間を表示するために色分けされていてもよい。いくつかの実施形態において、薬剤分配システム１０の１つ以上の構成要素は、色分けを規定または説明するキーを含み得る。いくつかの実施形態では、医薬品カード６０は、投与される医薬品の名前および／または特性を表示する表示７４を含む。いくつかの実施形態では、表示７４は、投与される医薬品の生じ得る副作用のリストを含む。いくつかの実施形態では、表示７４は、患者が投与される医薬品を摂取するべき期間に関する指示を提供する。
【００６１】
いくつかの実施形態において、投与単位は、ビタミンＡ、ビタミンＢ、ビタミンＣ、ビタミンＤ、ビタミンＥ、ビタミンＫ、必須脂肪酸、葉酸、鉄、カルシウム、マグネシウム、カリウム、銅、クロム、亜鉛、モリブデン、ヨウ素、ホウ素、セレニウム、マンガン、それらの誘導体および／またはそれらの組み合わせを含み得る。いくつかの実施形態において、生物活性物質は、チアミン、チアミンピロリン酸、リボフラビン、フラビンモノヌクレオチド（ｆｌａｖｉｎ  ｍｏｎｏｎｕｃｌｅｏｔｉｄｅ）、フラビンアデニンジヌクレオチド、ナイアシン、ニコチン酸、ニコチンアミド、ナイアシンアミド、ニコチンアミドアデニンジヌクレオチド、トリプトファン、ビオチン、パントテン酸、アスコルビン酸、レチノール、レチナール、レチノイン酸、β−カロチン、１，２５−ジヒドロキシコレカルシフェロール、７−デヒドロコレステロール（７−ｄｅｈｙｒｄｏｃｈｏｌｅｓｔｅｒｏｌ）、α−トコフェロール、トコフェロール、トコトリエノール、メナジオン、メナキノン、フィロキノン、ナフトキノン、カルシウム、炭酸カルシウム、硫酸カルシウム、酸化カルシウム、水酸化カルシウム、カルシウムアパタイト、クエン酸リンゴカルシウム、グルコン酸カルシウム、乳酸カルシウム、リン酸カルシウム、レブリン酸カルシウム、リン、カリウム、硫黄、ナトリウム、ドクサートナトリウム、塩化物、マグネシウム、ステアリン酸マグネシウム、炭酸マグネシウム、酸化マグネシウム、水酸化マグネシウム、硫酸マグネシウム、銅、ヨウ素、亜鉛、クロム、モリブデン、カルボニル鉄、フマル酸鉄、多糖鉄、および／またはそれらの組み合わせおよび誘導体を含み得る。
【００６２】
いくつかの実施形態において、投与単位は、処方物質および／または非処方物質であってもよい。いくつかの実施形態において、処方物質は、ホルモン補充剤、避妊剤、骨粗鬆症剤、化学療法剤、抗感染剤、鎮痛剤、ステロイド、食欲抑制剤、体重減量剤、タバコ拮抗剤、コレステロール低下剤および／またはそれらの組み合わせであってもよい。
【００６３】
いくつかの実施形態において、処方物質は、例えば、チカグレロール（抗血小板物質）、クロピドグレル（抗血小板物質）、プラスグレル（抗血小板物質）、カルベジロール（βブロッカー）、コハク酸メトプロロール（βブロッカー）、酒石酸メトプロロール（βブロッカー）、リシノプリル（ＡＣＥ阻害薬）、ロサルタン（アンギオテンシン受容体ブロッカー）、バルサルタン（アンギオテンシン受容体ブロッカー）、アトルバスタチン（スタチン）、シンバスタチン（スタチン）、スピロノラクトン（アルドステロン受容体ブロッカー／利尿薬）、アテノロール、エリスロマイシン、ペニシリン、セファロスポリン、テオフィリン、アルブテロール、テルブタリン、ジルチアゼム、プロプラノロール、ニフェジピン、クロニジン、チオリダジン、ジアゼパム、メクリジン、メシル酸エルゴロイド、クロルプロマジン、カルビドパ、レボドーパ、ジプロピオン酸ベクロメタゾン、ブデソニド、デキサメタゾン、フルニソリド、プロピオン酸フルチカゾン、フランカルボン酸モメタゾン、トリアムシノロンアセトニド、ベコナーゼ、パルミコート、リノコート、デカドロン、アエロビド／ナサリド（ａｅｒｏｂｉｄ／ｎａｓｏｌｉｄｅ）、フロベント／フルナーゼ、アズマコート（ａｚｍａｃｏｒｔ）、アンプレナビル、アデホビルジピボキシル、ジドブジン、アジドチミジン、ＡＺＴ、パクリタキセル、シクロホスファミド、テニポシド、タキソール、シトキサン、ブモン（ｖｕｍｏｎ）、メトトレキセート、メトトレキセート、シスプラチン、カルボプラチン、オキサリプラチン、プラチノール、パラプラチン、アドリアマイシン、ブレオマイシン、ダクチノマイシン、ダウノルビシン、ドキソルビシン、インダルビシン、マイトマイシン、ブレノキサン（ｂｌｅｎｏｘａｎｅ）、コスメゲン、セルビジン（ｃｅｒｕｂｉｄｉｎｅ）、ルベックス、インダマイシン、ムタマイシン、ＢＣＮＵ、ストレプトゾシン、ビンブラスチン、チオテパ、結合型エストロゲン、エストロゲンエステル、エストロピペート、エストラジオール、エチニルエストラジオール、メドロキシプロゲステロン、メプロバメート、デソゲストレル、レボノルゲストレル、ノルエチンドロン、酢酸ノルエチンドロン、ノルゲスチメート、ノルゲストレル、ラロキシフェン、タモキシフェン、メチルテストステロン、キナプリル、ソタロール、アレンドロネート、アトルバスタチン、コレスチポール、クロフィブレート、および／またはそれらの組み合わせを含み得る。
【００６４】
いくつかの実施形態において、非処方物質は、ビタミンもしくはその誘導体、および／またはミネラル化合物もしくはその誘導体であってもよい。いくつかの実施形態において、ビタミンまたはミネラル化合物は、例えば、チアミン、チアミンピロリン酸、リボフラビン、フラビンモノヌクレオリド、フラビンアデニンジヌクレオチド、ナイアシン、ニコチン酸、ニコチンアミド、ナイアシンアミド、ニコチンアミドアデニンジヌクレオチド、トリプトファン、ビオチン、葉酸、パントテン酸、アスコルビン酸、レチノール、レチナール、レチノイン酸、β−カロチン、１，２５−ジヒドロキシコレカルシフェロール、７−デヒドロコレステロール、α−トコフェロール、トコフェロール、トコトリエノール、メナジオン、メナキノン、フィロキノン、ナフトキノン、カルシウム、炭酸カルシウム、硫酸カルシウム、酸化カルシウム、水酸化カルシウム、カルシウムアパタイト、クエン酸リンゴカルシウム、グルコン酸カルシウム、乳酸カルシウム、リン酸カルシウム、レブリン酸カルシウム、リン、カリウム、硫黄、ナトリウム、ドキュセートナトリウム、塩化物、マグネシウム、ステアリン酸マグネシウム、炭酸マグネシウム、酸化マグネシウム、水酸化マグネシウム、硫酸マグネシウム、銅、ヨウ素、亜鉛、クロム、モリブデン、カルボニル鉄、フマル酸鉄、多糖鉄、ならびにそれらの組み合わせおよび誘導体であってもよい。いくつかの実施形態において、ビタミン化合物の誘導体は、任意のビタミン化合物の塩、アルカリ性塩、エステルおよび錯体を含む。いくつかの実施形態において、非処方物質は、薬草化合物、薬草抽出物、その誘導体および／またはそれらの組み合わせであってもよい。
【００６５】
いくつかの実施形態において、投薬計画は、第２の投与単位に隣接する収容部７２のブリスターパック上に配置された第１の投与単位を含み得る。いくつかの実施形態において、投薬計画は、異なる収容部７２に配置された第２の投与単位に隣接して配置された第１の投与単位を含む。
【００６６】
いくつかの実施形態において、医薬品カード６０は７個の収容部７２を含む。１つの投与単位が各収容部７２に封入される。収容部７２は互いに隣接する横列内に水平方向に配置される。医薬品カード６０は、患者が医薬品を服用すべき時間および／または順番を示す表示７４を含む。いくつかの実施形態において、各収容部７２には、投与計画に従って１回の用量を服用すべき日を示す矢印のラベルが付けられる。表示７４は医薬品カード６０にスクリーン印刷される。いくつかの実施形態において、表示７４は手書きであってもよい。医薬品カード６０の一部を空白にしておいて、患者、薬剤師、または医師が注意書きまたは指示を手書きで記入できるようにしてもよい。
【００６７】
いくつかの実施形態では、スクロール容器３２は、医薬品カード部分３４に接着され、背骨部分３６によって離間されたいくつかの医薬品カード６０を含む。いくつかの実施形態では、各医薬品カード６０は７個の収容部７２からなる１つの列を含む。各収容部７２は、受容部内に保持された薬剤に関する情報を提供する表示７４に隣接して配置される。医薬品カード６０は、スクロール容器３２の表面に整列され、それにより収容部７２の各横列が縦列と整列するようにし、それにより各医薬品カード６０の第１の収容部７２が第１の縦列に整列され、医薬品カード６０の第２の収容部７２が第２の縦列に整列され、各医薬品カード６０の第３の収容部７２が第３の縦列に整列されるなどするようにする。収容部７２の配置は、ユーザが複雑な投与計画の場合に服薬率を維持するのを助ける。したがって、毎日複数の医薬品を必要とする投薬計画などの複雑な投薬計画の服薬遵守性は、縦列表示で一度に服用する必要がある医薬品のそれぞれの可視性を有することによってより容易になる。同様に、患者は、破れた収容部７２の縦列を見ることによって、どの薬剤がすでに服用され、どの薬剤を服用しなければならないかを容易に知ることができる。
【００６８】
いくつかの実施形態において、薬剤分配システム１０は、投与計画中に投与される医薬品に関して患者に教示するための１つ以上の情報ラベルを含む。いくつかの実施形態において、ラベルは、投与される薬の名称および／または特性を示す表示を含む。いくつかの実施形態において、表示は、投与される医薬品の起こり得る副作用のリストを含む。いくつかの実施形態において、表示は、投与される医薬品を患者が服用すべき期間に関する指示を提供する。いくつかの実施形態において、ラベルは、ハウジングおよび／または医薬品容器の正面および／または後面に貼り付けられるステッカーである。
【００６９】
本明細書に記載される薬剤スクロール容器３２およびスリーブ１２を含む本明細書に記載されるシステムおよび方法と同様の薬剤分配システム１０は、患者の疾患、病気、および／または慢性の病気の治療との関連で使用される。薬剤分配システム１０の構成要素により、ユーザ／患者は、例えば病院などの医療施設からの退院後に、本明細書に記載のように投薬計画に従い易くなる。一実施形態において、患者は、心筋梗塞を患いその後病院から退院した後に薬剤分配システム１０を利用し、１つまたは複数の処方および／または非処方薬を服用するように処方および／または指示される場合がある。例えば、患者には、心筋梗塞の治療に関連して、抗血小板剤、アスピリン、ワルファリン（抗凝血剤）、ベータブロッカー、ＡＣＥ阻害剤、スタチン、ニトログリセリン、ドキュセートおよび／または抗うつ剤が処方されている場合がある。
【００７０】
いくつかの実施形態において、医師および／または薬剤師は、心筋梗塞の治療に関連する１つ以上の処方薬、心筋梗塞の治療に関連して患者が服用するよう指示された１つ以上の非処方薬、患者が服用している１つ以上の既存処方薬および／または１つ以上の非処方薬およびサプリメントを含む医薬品を見直しおよび／または検討する。医師および／または薬剤師は、ユーザ／患者が投薬計画に従い易くするように、薬剤分配システム１０を使用してこれらの医薬品に基づいて投薬計画を決定する。
【００７１】
いくつかの実施形態において、決定された投薬計画に基づき、例えば薬局員などの医療担当者は、本明細書に記載の選択された医薬品カード６０および／またはラベルを準備し、心筋梗塞および退院後のユーザ／患者のために特別に作製された選択されたスクロール容器３２に配置する。
【００７２】
使用時には、薬剤分配システム１０は、突起１０４が表面１０８と係合するように、最初はチャイルドレジスタントロック構成で配置される。突起１０６は、開口部２２を通るボタン１０２の通過を妨げるために開口部２２に対してオフセット整列した状態にある。表面１０４、１０８は、スリーブ１２からのスクロール容器３２の離脱を阻止および／または防止するために締まりばめで配置されている。薬剤分配システム１０を開封するために、図３に矢印Ｄで示される方向にスクロール容器３２をスライドさせることによってボタン１０２を操作および／または並進移動させ、ボタン１０２を開口部２２と整列させ、表面１０８から分離させる。ボタン１０２を動かすと、ボタン１０２は、邪魔されることなく開口部２２を通過することができる。ボタン１０２が開口部２２と位置合わせされると、ボタンは、図４の矢印Ｅによって示されるように、下方向に押され、スクロール容器３２をスリーブ１２から解放する。
【００７３】
本明細書に記載の医薬品カード６０および／または情報ラベルを含み得るスクロール容器３２の内容物は、ユーザ／患者がアクセスすることができる。ユーザ／患者は、例えば、表示７４を介して与えられる、投与単位を収容部７２から服用するための指示に従って、および／または、表示７４および／またはラベルからの指示に従って、薬剤分配システム１０の構成要素を用いることにより、心筋梗塞の治療に関連する投薬計画に従い易くなる。
【００７４】
患者が投与計画に必要な医薬品にアクセスすると、スクロール容器３２は、スクロール容器３２を閉鎖するために図３の矢印Ｄで示す方向に巻き上げられるかまたは巻かれる。スクロール容器３２は、本明細書に記載のように、閉鎖構成になるようにテザー３３に対して回転させられる。スクロール容器３２はスリーブ１２の内側キャビティ２０へと並進移動される。ここで記載されるようにボタン１０２はロック位置に移動され、それによりスクロール容器３２は、保管およびその後の使用のためにスリーブ１２とチャイルドレジスタントロック構成に配置可能である。
【００７５】
一実施形態では、図８〜１３に示すように、本明細書に記載のシステムおよび方法と同様の薬剤分配システム１０は、例えば概して矩形の断面形状を有する箱２１２などのハウジングを含む。箱２１２は底部２１４およびカバー２１６を含む。一実施形態では、底部２１４およびカバー２１６は矩形の形状を含む。底部２１４は、図１２に示すように、内側キャビティ２２０を画定する表面を含む。内側キャビティ２２０は、例えば、本明細書に記載のスクロール容器３２と同様のスクロール容器２３２などの医薬品容器を収容するように構成されている。カバー２１６は、内側キャビティ２０へのアクセスを提供するように構成されている。いくつかの実施形態では、箱１２の全部または一部のみが、例えば楕円形、長円形三角形、正方形、多角形、不規則、均一、不均一、オフセット、食い違いおよび／またはテーパ状などの代替断面構成を有してもよい。
【００７６】
スクロール容器２３２は、本明細書で記載されるように、内側キャビティ２２０内に配置されるように構成される。スクロール容器２３２は、本明細書に記載のテザー３３と同様のテザー２３３によって箱２１２に取り付けられる。テザー２３３は、スクロール容器２３２が箱２１２から引き出されるが箱２１２から分離できないように構成される。テザー２３３は、箱２１２に対するスクロール容器２３２の移動のための可動域を提供するように構成される。いくつかの実施形態では、スクロール容器２３２は、テザー２３３を中心にして０〜３６０度の角度範囲で回動可能である。
【００７７】
いくつかの実施形態では、薬剤分配システム１０は、チャイルドレジスタントロックおよび／または医薬品アクセス不可能構成と、ロック解除および／または医薬品アクセス可能構成との間で移動可能である。いくつかの実施形態では、カバー２１６は１つまたは複数の開口部を含む。いくつかの実施形態では、カバー２１６は、図８に示されるように、一対の開口部２２２ａ、２２２ｂを含む。いくつかの実施形態では、開口部２２２ａ、２２２ｂは、カバー２１６の後部角に配置される。いくつかの実施形態では、開口部２２２ａ、２２２ｂは円形構成を含む。いくつかの実施形態では、開口部２２２ａ、２２２ｂの全部または一部のみが、例えば、楕円形、長円形三角形、正方形、多角形、不規則、均一、不均一、オフセット、食い違い、および／またはテーパ状などの代替断面構成を有し得る。
【００７８】
いくつかの実施形態では、箱２１２は、例えばバネタブ２５０などのタブを含む。タブ２５０は、例えば開口部２２２ａなど開口部２２２ａ、２２２ｂのうちの１つの表面２５２と接続される。タブ２５０は、図８に示されるチャイルドレジスタントロック構成と、図１１に示される開封された非ロック構成との間で配置されるように構成される。タブ２５０は、スクロール容器２３２のロックを容易にするためにロック構成において弾性的に付勢されている。チャイルドレジスタントロック構成では、タブ２５０は、図９に示すようにスクロール容器２３２の表面２５４と係合可能である。タブ２５０と表面２５４との係合は、箱２１２からのスクロール容器２３２の離脱を阻止および／または防止するための締まりばめを形成する。ロック構成では、本明細書に記載の通り、タブ２５０によってスクロール容器２３２に加えられる弾性力によって締まりばめが形成される。いくつかの実施形態では、箱２１２は、本明細書に記載されているように１つまたは複数のタブを含み、例えばタブ２５０は、開口部２２２ａ、２２２ｂのそれぞれと共に配置することができる。
【００７９】
箱２１２を開封するために、患者は、図１１の矢印Ｆで示される方向にタブ２５０を回動させるようにタブ２５０を操作し、回転させ、および／または持ち上げ、これにより、タブ２５０はスクロール容器２３２との整列から外れてスクロール容器２３２を解放する。同時に患者は、スクロール容器２３２を箱２１２から引き出すまたは引っ張り出すために指を開口部２２２ｂに挿入することによって、スクロール容器２３２を図１１の矢印Ｇで示す方向に操作する。スクロール容器２３２は医薬品にアクセスするために開封構成に解放される。
【００８０】
いくつかの実施形態では、ユーザが薬剤分配システム１０をチャイルドレジスタントロック構成からロック解除構成に移動するのを助けるために、指示表示が開口部２２２ａ、２２２ｂに隣接して配置される。いくつかの実施形態では、表示は箱２１２の表面上におよび／また開口部２２２ａ、２２２ｂに隣接して配置される。いくつかの実施形態では、表示は、タブ２５０を移動させるための移動方向を示す矢印によって記されてもよい。
【００８１】
一実施形態では、図１４および１５に示すように、本明細書に記載のシステムおよび方法と同様の薬剤分配システム１０は、本明細書に記載のスリーブ１２と同様の、例えばスリーブ（図示せず）などのハウジングを含む。スリーブの内側キャビティは、本明細書に記載されるようなスクロール容器３２と同様の例えばスクロール容器３３２などの医薬品容器を受け入れるように構成される。スクロール容器３３２は、本明細書に記載されているように、テザー（図示せず）によってスリーブに取り付けられる。いくつかの実施形態では、スクロール容器３３２は、例えば１日に２回服用する必要がある薬などの医薬品を保管するおよび／または含む本明細書に記載されているような医薬品カード６０と同様の１つ以上の医薬品カード３６０を含む。医薬品の１回分服用量は、例えば、朝の１回分服用量収容部３７４および夕方の１回分服用量収容部３７６などの複数の収容部に封入され密封される。いくつかの実施形態では、収容部３７４は医薬品カード３６０を横切って直線的に配置される。いくつかの実施形態では、収容部３７６は、第２の医薬品カード３６０上に直線的に配置される。いくつかの実施形態では、収容部３７６は、収容部３７４に対してオフセットおよび／または食い違い状に配置されている。この構成により、図１５に示すようにスクロール容器３３２が巻かれて閉鎖されるとき、収容部３７６が、収容部３７４の間に配置された間隙３７８内に入れ子状になることが可能になる。いくつかの実施形態では、スクロール容器３３２は、本明細書で記載するようなスリーブおよび医薬品容器の既存のテザーに接続される、本明細書で記載するような医薬品カードを備える。
【００８２】
一実施形態では、図１６および１７に示すように、本明細書に記載のシステムおよび方法と同様の薬剤分配システム１０は、例えば、本明細書に記載のスリーブ１２と同様のスリーブ（図示せず）などのハウジングを含む。スリーブの内側キャビティは、例えば、本明細書に記載されるようなスクロール容器３２と同様のスクロール容器４３２などの医薬品容器を受け入れるように構成される。
【００８３】
スクロール容器４３２は、本明細書に記載されるように、内側キャビティ内に配置されるように構成される。スクロール容器４３２は、本明細書に記載されるように、テザー（図示せず）によってスリーブに取り付けられる。いくつかの実施形態では、スクロール容器４３２は、医薬品を保管および／または含有する本明細書で記載されるような医薬品カード６０と同様の１つまたは複数の医薬品カード４６０を含む。いくつかの実施形態において、医薬品カード４６０の１つ以上は、複数の開口部４６４を画定する表面４６２を含む。いくつかの実施形態において、開口部４６４は、医薬品カード４６０を横切って直線的に配置される。
【００８４】
いくつかの実施形態では、医薬品の１回分服用量が、例えば図１６に示されるようなストリップ４７２などの部分に配置された複数の収容部４７０内に封入され密封される。いくつかの実施形態では、収容部４７０はストリップ４７２を横切って直線的に配置される。いくつかの実施形態では、収容部が開口部４６４と整列するようにストリップ４７２は医薬品カード４６０の指定部分に取り付け可能である。いくつかの実施形態では、ストリップ４７２は、接着材料によって医薬品カード４６０に取り付けられる。いくつかの実施形態では、スクロール容器４３２は、本明細書で記載するようなスリーブおよび医薬品容器の既存のテザーに接続される本明細書で記載するような医薬品カードを備える。
【００８５】
一実施形態では、図１８〜２３に示すように、本明細書に記載のシステムおよび方法と同様の薬剤分配システム１０は、例えば本明細書に記載されるような箱２１２と同様の箱５１２などのハウジングを含む。箱５１２は、内側キャビティ５２２を画定する壁５２０を有する底部セクション５１６を含む。スクロール容器５３２は、本明細書に記載されるように、内側キャビティ５２２内に配置されるように構成される。スクロール容器５３２は、本明細書に記載のテザー３３と同様のテザー５３３によって箱５１２に取り付けられる。いくつかの実施形態では、薬剤分配システム１０は、本明細書で記載されるように、チャイルドレジスタントロック構成と、ロック解除および／または薬品アクセス可能構成との間で移動可能である。いくつかの実施形態では、箱５１２は、図１８および１９に示されるようにカバー５３４を含む。スクロール容器５３２が箱５１２内に折り畳まれると、図１８に示すように、カバー５３４が箱５１２を閉鎖する。
【００８６】
いくつかの実施形態では、側壁５２０のうちの１つは、ラッチ５４０を含む。ラッチ５４０は、例えば、フック５４４を含むスライド５４２などの部分を含む。スライド５４２は、図１８および２０において矢印Ｍで示されるような方向に並進し、それによってフック５４４を並進させるように構成される。いくつかの実施形態では、カバー５３４はラッチ５５０を含む。ラッチ５５０は、例えば、フック５５４を含むスライド５５２などの部分を含む。フック５５４は、チャイルドレジスタントロック構成においてフック５４４と係合可能である。スライド５５２は、図１８および２０において矢印Ｎで示されるような第２の反対方向に並進し、それによってフック５５４を並進させるように構成される。フック５４４、５５４は、最初は、図２１に示すように、スクロール容器５３２へのアクセスに抵抗するおよび／またはそれを防止するために、チャイルドレジスタントロック構成に配置されている。
【００８７】
スライド５４２、５５２が同時に反対方向に並進すると、フック５４４、５５４は、図２３に示すように、開封された医薬品アクセス可能な構成へと係合解除される。チャイルドレジスタントロック構成から医薬品アクセス可能開封構成へ係合解除するために両方のスライド５４２、５５２が反対方向に並進移動され、単一のスライド５４２または５５２の並進移動は箱５１２およびスクロール容器５３２のラッチ機構をチャイルドレジスタントロック構成から医薬品アクセス可能開封構成へ係合解除しない。いくつかの実施形態では、箱５１２およびスクロール容器５３２のラッチ機構は、スクロール容器５３２が箱５１２によって閉鎖位置に戻されると、自動的に係合し、箱５１２およびスクロール容器５３２をチャイルドレジスタントロック構成に配置する。カバー５３４が箱５１２によって閉鎖されると、フック５４４、５５４は、ばね付勢係合を介して係合して偏向し、図２１に示すようなロック構成に戻る。
【００８８】
本明細書に開示されている実施形態に対して様々な修正を加えることができることが理解されよう。したがって、上の記載は限定として解釈されるべきではなく、単に様々な実施形態の例示として解釈されるべきである。当業者は、本明細書に添付の特許請求の範囲の範囲および趣旨内で他の修正を想定するだろう。
【図１】
2019528132.tif 000003
【図１Ａ】
2019528132.tif 000004
【図２】
2019528132.tif 000005
【図３】
2019528132.tif 000006
【図３Ａ】
2019528132.tif 000007
【図４】
2019528132.tif 000008
【図５】
2019528132.tif 000009
【図６】
2019528132.tif 000010
【図７】
2019528132.tif 000011
【図８】
2019528132.tif 000012
【図９】
2019528132.tif 000013
【図１０】
2019528132.tif 000014
【図１１】
2019528132.tif 000015
【図１２】
2019528132.tif 000016
【図１３】
2019528132.tif 000017
【図１４】
2019528132.tif 000018
【図１５】
2019528132.tif 000019
【図１６】
2019528132.tif 000020
【図１７】
2019528132.tif 000021
【図１８】
2019528132.tif 000022
【図１９】
2019528132.tif 000023
【図２０】
2019528132.tif 000024
【図２１】
2019528132.tif 000025
【図２２】
2019528132.tif 000026
【図２３】
2019528132.tif 000027
【国際調査報告】
2019528132.tif 000028